(57)【特許請求の範囲】
【請求項１】
少なくともディスク再生可能な第１のディスク部と、
ディスク記録及びディスク再生可能な第２のディスク部と、
再生されたアドレスにトラックナンバーを付与する操作キーと、
音声データのダビングが完了したか否かを判断する判断手段とを有し、
上記第１のディスクより読み出された音声データが第２のディスクにアナログダビングを行う際に、
上記第１のディスク部に設けられた第１のディスクより読み出された、少なくとも複数のトラックのスタートアドレスを含むＴＯＣデータを格納するメモリ手段が、上記第２のディスク部に設けられた第２のディスクに読み書きされるＴＯＣデータを格納するメモリ手段としても使用されると共に、
上記判断手段により上記第１のディスクより読み出された音声データが第２のディスクにアナログダビングされたと判断された場合、上記ダビングされた音声データを第２のディスクより読み出して、上記メモリ手段に格納された上記第１のディスクのＴＯＣデータの各スタートアドレスから順次イントロ再生し、各トラックのイントロ再生中に上記操作キーが操作されると、上記第２のディスクの上記各スタートアドレスに上記第１のディスクと同じトラックナンバーが付与される
ことを特徴とするオーディオ装置。
【請求項２】
上記メモリ手段に格納された第１のディスクのＴＯＣデータには文字データが含まれ、この文字データをトラックナンバー付与後に第２のディスクに記録できるようにした
ことを特徴とする請求項１記載のオーディオ装置。
【発明の詳細な説明】
【０００１】
【発明の属する技術分野】
この発明は、オーディオ装置に関する。詳しくは、第１のディスクより読み出された音声データが、第２のディスクにアナログダビングされた後に、第２のディスクを第１のディスクより読み出された各トラックのスタートアドレスから順次再生しながら、第２のディスクの各スタートアドレスにエンターキーでトラックナンバーを付与するようにしたもので、音声データと共にトラックナンバーを付与できるようにしたものである。
【０００２】
【従来の技術】
従来、ミニディスク（以下、「ＭＤ」という）より音声データを再生するディスク装置（ＭＤ再生装置）や、録再用ＭＤに音声データを記録することも可能なディスク装置（ＭＤ録再装置）が提案されている。また、ＭＤ再生専用のデッキとＭＤへの記録が可能なデッキとを組み込むことによりＭＤからＭＤへの音声ダビングが可能なオーディオ装置も提案されている。録再用ＭＤには従来周知のようにＡＴＲＡＣ（Ａｄａｐｔｉｖｅ  Ｔｒａｎｓｆｏｒｍ  Ａｃｏｕｓｔｉｃ  Ｃｏｄｉｎｇ）と称される音声信号圧縮技術によって約１／５にデータ量が圧縮された状態で音声データの記録が行われる。
【０００３】
再生用ＭＤには、ＴＯＣ（Ｔａｂｌｅ  ｏｆ  Ｃｏｎｔｅｎｔｓ）データとして、トラック数などのトラックデータや、各トラックのスタートアドレス及びエンドアドレスなどのアドレスデータ、そしてディスク名やトラック名などの文字データが記録されている。録再用ＭＤには、録音時にこれらのＴＯＣデータが初めて記録される。
【０００４】
図４（ａ）及び図４（ｂ）にＭＤのエリア区分とＴＯＣデータが記録されるエリアのセクタ区分を示す。
【０００５】
図４（ａ）において、再生専用ＭＤは、ＴＯＣエリア（リードインエリア）、音声データエリア及びリードアウトエリアに区分され、ＴＯＣデータはＴＯＣエリアに記録されている。一方、録再用ＭＤは、リードインエリア、ＵＴＯＣエリア（ユーザＴＯＣエリア）、音声データエリア及びリードアウトエリアに区分され、ＴＯＣエリアからリードされたＴＯＣデータはＵＴＯＣエリアに再記録される。
【０００６】
また、ＴＯＣエリア及びＵＴＯＣエリアは、図４（ｂ）に示すようにそれぞれ複数のセクタから構成される。セクタ０には、ファーストＴＮＯ、ラストＴＮＯなどのトラックデータや、スタートアドレスやエンドアドレスなどの各トラックのアドレスデータが記録される。セクタ１及びセクタ４にはディスク名や各トラック名などの文字データが記録される。
【０００７】
【発明が解決しようとする課題】
ところで、ＭＤ再生装置とＭＤ録再装置とを接続したものや、ＭＤ再生用デッキとＭＤ録再用デッキとが組み込まれたオーディオ装置を使用して、再生側（マスター側）で再生するＭＤのデジタル音声データをアナログ信号に変換した後、デジタル信号に再変換して、録再側（スレーブ側）にセットした録再用ＭＤにアナログダビングする場合、ダビングできるのは音声データのみであるから、デジタルコードデータであるＴＯＣデータについてはダビングすることはできない。その結果、ＴＯＣデータがないために、マスター側で複数のトラックからなるものでも、スレーブ側では１トラックとして取り扱われてしまう。これは、ＴＯＣデータに含まれるトラックデータやアドレスデータに基づいてトラック番号などを判断することから、ＴＯＣデータがないと、あたかも一本のトラックとして取り扱われてしまうからである。
【０００８】
ＴＯＣデータを記録できないために、スレーブ側ＭＤでもマスター側ＭＤと同じトラックとして区切るためには、ユーザが手作業でＴＯＣデータを作成する必要がある。例えば、音声データのダビング中でマスター側ＭＤの各トラックの先頭が再生されたときに、ユーザがＴＯＣデータ作成用のマーカー信号をスレーブ側ＭＤに打ち込んだり、スレーブ側ＭＤを全曲再生してその間にマーカー信号の打ち込み作業を行う必要がある。しかし、これらの方法では相当の時間や労力を要することになる。
【０００９】
この問題を解決するために、入力音声信号が所定時間以上に渡り規定レベル以下（無音部）になったことを検知するＬＥＶＥＬ  ＳＹＮＣ（レベル・シンク）機能を備えたＭＤ録再装置がある。無音部とトラック間の区切りが一致するＭＤをアナログダビングするときには、このレベル・シンク機能を利用してトラック番号を自動的に生成して記録することができ、マスター側と同じトラックとして区切ることができる。
【００１０】
しかし、このレベル・シンク機能を用いても、例えばクラシックのように切れ目なく次の楽章に続くような音声データをアナログダビングするときには、楽章と楽章との間に無音部分がないため、各楽章の切れ目を検出できず、これら楽章間にトラック番号を打ち込むことができない。そのため、複数のトラックからなるものが１トラックとして取り扱われてしまうこととなり、特定の楽章を指定して再生できなくなってしまう。フェイドアウトしながら次のトラックに移行するようなソースについても同様である。また、マスター側ＭＤのトラック間の区切りに無音部が必ずあったとしても、それが規定時間（例えば３秒間）以下であるときにもトラック番号を打ち込めない。
【００１１】
また、無音部が規定時間以上続くときには、トラックの区切りでないところでもスレーブ側ではトラックを区切ってしまうので、１トラックからなるものが逆に複数のトラックとして扱われることとなってしまう。
【００１２】
このように、アナログダビングの場合では、レベル・シンク機能を用いても、マスター側ＭＤの音声データの内容（無音部とトラックの区切りの対応）によっては、スレーブ側ＭＤでマスター側と同じトラックで区切ることができないおそれがあった。
【００１３】
そこで、この発明は、ディスク間で音声データをアナログダビングする場合、音声データの内容に関係なく、マスター側ディスクと同じトラックナンバーをスレーブ側ディスクに付与することができるオーディオ装置を提供するものである。
【００１４】
【課題を解決するための手段】
この発明に係るオーディオ装置は、少なくともディスク再生可能な第１のディスク部と、ディスク記録及びディスク再生可能な第２のディスク部と、再生されたアドレスにトラックナンバーを付与する操作キーと、音声データのダビングが完了したか否かを判断する判断手段とを有し、第１のディスクより読み出された音声データが第２のディスクにアナログダビングを行う際に、第１のディスク部に設けられた第１のディスクより読み出された、少なくとも複数のトラックのスタートアドレスを含むＴＯＣデータを格納するメモリ手段が、上記第２のディスク部に設けられた第２のディスクに読み書きされるＴＯＣデータを格納するメモリ手段としても使用されると共に、判断手段により第１のディスクより読み出された音声データが第２のディスクにアナログダビングされたと判断された場合、ダビングされた音声データを第２のディスクより読み出して、メモリ手段に格納された第１のディスクのＴＯＣデータの各スタートアドレスから順次イントロ再生し、各トラックのイントロ再生中に操作キーが操作されると、第２のディスクの各スタートアドレスに第１のディスクと同じトラックナンバーが付与されるものである。
【００１５】
第１のディスク部に設けられた第１のディスクより読み出されて、アナログ変換されずにデジタルデータのままメモリ手段に格納されるＴＯＣデータには、複数のトラックのスタートアドレスが含まれる。第１のディスクより読み出された音声データは、第２のディスクに設けられた第２のディスクにアナログダビングされる。この後、ダビングされた音声は第２のディスクより読み出されて、メモリ手段に格納された第１のディスクのＴＯＣデータの各トラックのスタートアドレスから順次イントロ再生され、ユーザがトラックが正しく再生されたと判断したときにはイントロ再生中に所定の操作キーを操作することによって、第２のディスクの各スタートアドレスにトラックナンバーが順次付与される。上記メモリ手段は、第２のディスクに読み書きされるＴＯＣデータを格納するメモリ手段としても使用される。
【００１６】
よって、マスター側ディスクの音声データの内容に関係なく、マスター側と同じトラックナンバーを常に短時間で簡単にスレーブ側ディスクに付与できる。したがって、ユーザはスレーブ側ディスクでも、マスター側と同じトラックナンバーを利用する様々な機能を享受することができる。
【００１７】
また、マスター側及びスレーブ側のディスクのＴＯＣデータがひとつのメモリ手段に格納されるので、部品点数の増加を抑えることができる。
【００１８】
【発明の実施の形態】
以下、この発明の実施の形態としてのオーディオ装置１００について、図１以下を参照して説明する。
【００１９】
図１において、オーディオ装置１００は、ＭＤ再生部６０、ＭＤ録再部７０及び切替部８０を有する。
【００２０】
第１のディスクとしてのＭＤ１を再生するＭＤ再生部（第１のディスク部）６０は、光ピックアップ２、ＲＦアンプ部３、デコーダ４、メモリコントローラ５、ＤＲＡＭ６、デコーダ７、Ｄ／Ａコンバータ８及び切替スイッチＳＷ１を有する。
【００２１】
光ピックアップ２を構成する複数の光検出器（図示せず）の出力信号は、ＲＦアンプ部３に供給される。このＲＦアンプ部３より得られるトラッキングエラー信号及びフォーカスエラー信号はサーボ制御回路（図示せず）に供給され、そのサーボ制御回路によって光ピックアップ２のトラッキングサーボ及びフォーカスサーボ、さらに光ピックアップ２を所定位置に移動する送りモータやスピンドルモータの回転も制御される。
【００２２】
ＲＦアンプ部３より得られるＭＤ１の再生ＲＦ信号はＥＦＭとＣＩＲＣのデコーダ４に供給され、復調処理が行われると共に誤り訂正処理が行われる。このデコーダ４で誤り訂正されたデータの中で音声データに係る圧縮符号化データは、メモリコントローラ５を介してＤＲＡＭ６に一時格納される。このＤＲＡＭ６に格納された圧縮符号化音声データはメモリコントローラ５で順次読み出され、デコーダ７に供給されて伸張復号化処理される。デコーダ７より出力される線形なデジタル音声データは、切替スイッチＳＷ１の可動端子ｐがｑ側に接続されるとＤ／Ａコンバータ８に供給されてアナログ音声信号に変換されて切替部８０に出力される。一方、可動端子ｐがｒ側に接続されるとデジタル音声データはＤ／Ａ変換されずにそのままの形態で切替部８０に出力される。
【００２３】
デコーダ４で誤り訂正されたデータで、ＭＤ１のＴＯＣエリア又はＵＴＯＣエリアに記録された音声データに係るＴＯＣデータは、メモリコントローラ５を介してＳＲＡＭ９に格納される。このＴＯＣデータのＳＲＡＭ９への格納は音声データ読み込み前に行われる。
【００２４】
上述したデコーダ４、メモリコントローラ５及び切替スイッチＳＷ１の動作は、マイコンを含むシステムコントローラ１０によって制御される。
【００２５】
第２のディスクとしてのＭＤ２０の記録／再生を行うＭＤ録再部（第２のディスク部）７０は、Ａ／Ｄコンバータ２１、エンコーダ／デコーダ２２、メモリコントローラ２３、ＤＲＡＭ２４、エンコーダ／デコーダ２６、ヘッド駆動回路２８、磁気ヘッド２９及び切替スイッチＳＷ２を有する。
【００２６】
切替部８０を介してアナログ音声信号がＭＤ再生部６０より供給されるときは、その音声信号は、Ａ／Ｄコンバータ２１で線形なデジタル音声データに変換される。このデジタル音声データは、切替スイッチＳＷ２の可動端子ｓがｔ側に接続されることで、圧縮伸張のエンコーダ／デコーダ２２に供給されてＡＴＲＡＣ方式の圧縮符号化などのエンコード処理された後、メモリコントローラ２３を介してＤＲＡＭ２４に格納される。
【００２７】
また、切替部８０を介してデジタル音声信号がＭＤ録再部８０より供給されるときは、その音声信号は、切替スイッチＳＷ２の可動端子ｓがｕ側に接続されることで、エンコーダ／デコーダ２２でエンコード処理された後、ＤＲＡＭ２４に供給される。
【００２８】
ＤＲＡＭ２４に格納された音声信号に係る圧縮符号化データはメモリコントローラ２３を介して順次読み出されてＥＦＭとＣＩＲＣのエンコーダ／デコーダ２６に供給されて、誤り訂正処理のためのエンコード処理されると共に変調処理される。
【００２９】
エンコーダ／デコーダ２６より出力される記録音声データはヘッド駆動回路２８に供給される。これにより、磁気ヘッド２９の出力磁界が記録音声データによって変調され、光ピックアップ３３からのレーザ光との共働でもって、記録音声データが録再用ＭＤ２０に磁界変調記録される。
【００３０】
上述したメモリコントローラ２３及びエンコーダ／デコーダ２６の動作は、マイコンを含むシステムコントローラ１０によって制御される。
【００３１】
ＭＤ録再部７０は、さらに光ピックアップ３３及びＲＦアンプ部３４を有する。再生時には、ＭＤ２０に記録された音声データが光ピックアップ３３によって検出され、その出力信号がＲＦアンプ部３４に供給される。そして、エンコーダ／デコーダ２６で復調処理や誤り訂正処理されてＤＲＡＭ２４に一時格納された圧縮符号化音声データは、メモリコントローラ２３を介して読み出され、システムコントローラ１０の制御によって切替スイッチＳＷ２の可動端子ｓがｔ側に接続されることでエンコーダ／デコーダ２２で伸張復号化処理される。そしてその音声が切替部８０を介して図示しないスピーカより出力される。
【００３２】
システムコントローラ１０には、ユーザが種々の操作を行うための操作キー部３５が接続されると共に、この操作キー部３５による操作手順やシステムの状態などが表示される表示器３６が接続される。操作キー部３５には、後述するエンターキー、スキップキーやカーソルキーなども配設される。ＭＤ２０の再生中にエンターキーが押されると、押された位置をスタートアドレスとしてトラックナンバーが付与される。スキップキーが押されると、再生が中止されて次のトラックにジャンプして再生が再開される。また、カーソルキーはアドレスデータを修正して再生開始位置を微調整するものである。
【００３３】
以上の構成において、ＭＤ１に記録された音声データ及びＴＯＣデータのダビングの手順を図面に基づいて説明する。図２及び図３はダビングモード時のシステムコントローラ１０及びメモリコントローラ５，２３の制御動作を示すフローチャートである。
【００３４】
操作キー部３５が操作されてダビングモードに設定されると、マスター側のメディアがスレーブ側のメディアと同一であるか否かがシステムコントローラ１０で判定され（ステップＳＴ１）、同一でないと判定されるときはステップＳＴ１０１に進んで、ダビングモードを、音声データのみをダビングするモードに変更することが表示器３６に表示され、ステップＳＴ１０２に進んで音声データがマスターディスクＭＤ１からスレーブディスクＭＤ２０にダビングされる。
【００３５】
ステップＳＴ１で同一メディアであると判定されるときは、ステップＳＴ２に進んでアナログダビングするか又はデジタルダビングするかが判定される。操作キー部３５が操作されてデジタルダビングをするように指定されたときは、ＳＲＡＭ９に格納されたＭＤ１のＴＯＣデータの中からダビングの許可・不許可に関するデータがメモリコントローラ５を介して読み出されて、デジタルダビングが可能か否かが判定される。デジタルダビングが可能であると判定されるときは、ステップＳＴ２０１に進んで音声データがデジタルダビングされた後、ステップＳＴ２０２に進んで、ＳＲＡＭ９に格納されたＭＤ１のＴＯＣデータがメモリコントローラ２３を介して読み出されてＭＤ２０にダビングされる。
【００３６】
ただし、周知のように、ＳＣＭＳ（シリアル・コピー・マネージメント・システム）の制限によって、デジタルダビングでは一回しかシリアルコピーできない。よって、二回目以降のシリアルコピーで、音声データとＴＯＣデータを共にダビングするためには後述するアナログダビングしなければならない。
【００３７】
以下、ステップＳＴ２で、アナログダビングが選択された場合について説明する。
【００３８】
まず、ＤＲＡＭ６に一時的に格納された圧縮符号化音声データが、メモリコントローラ５を介してデコーダ７に供給されて伸張処理や復号処理された後、切替スイッチＳＷ１の可動端子ｐがｑ側に接続されることにより、Ｄ／Ａコンバータ８でアナログ音声信号に変換されて切替部８０に出力される（ステップＳＴ３）。
【００３９】
このアナログ音声信号は、切替部８０を介してＭＤ録再部７０に供給される。そして、Ａ／Ｄコンバータ２１で線形なデジタル音声データに変換された後、切替スイッチＳＷ２の可動端子ｓがｔ側に接続されることでエンコーダ／デコーダ２２で圧縮符号化される（ステップＳＴ４）。
【００４０】
圧縮符号化されたデジタル音声データは、メモリコントローラ２３及びＤＲＡＭ２４を介してエンコーダ／デコーダ２６に供給されて、誤り訂正処理のためのエンコード処理及び変調処理が施された後、ヘッド駆動回路２８を介して磁気ヘッド２９でもって順次ＭＤ２０に磁気変調記録される（ステップＳＴ５）。ステップＳＴ３〜ステップＳＴ５までの動作はステップＳＴ６でマスター側のＭＤ１の音声データが全てダビングされたと判定されるまで続けられる。
【００４１】
ステップＳＴ６で音声ダビングが終了したと判定されると、ＳＲＡＭ９に格納されたＭＤ１のＴＯＣデータの一部としてのアドレスデータＡｄｄ１（ＭＤ１の第１トラックのスタートアドレス及びエンドアドレス）がメモリコントローラ２３を介して読み出され（ステップＳＴ７，ＳＴ８）、そのスタートアドレスから、ＭＤ２０の音声データが光ピックアップ３３で検索される。そして、エンコーダ／デコーダ２２でデコード処理されて切替部８０に供給され、システムコントローラ２３の制御によってその音声が３秒間スピーカより出力される（ステップＳＴ９）。
【００４２】
スピーカより出力される音声をユーザが聴いてマスター側のＭＤ１の第１トラックの先頭から正しく再生されていると判断してエンターキーを押した場合（ステップＳＴ１０）は、磁気ヘッド２９でもってＭＤ２０のＵＴＯＣエリアの対応箇所にアドレスデータＡｄｄ１が記録され（ステップＳＴ１１）、ステップＳＴ１２に進む。
【００４３】
ステップ１２では、ステップＳＴ９で再生されたトラック（この場合、第１トラック）が最終トラックであるか否かが判定される。最終トラックでないと判定されるときは、ステップＳＴ１３に進んでステップＳＴ９で再生するトラックが次トラック（第２のトラック）に変更され、再生トラックが最終トラックであるとステップＳＴ１２で判定されるまでステップＳＴ８〜ステップＳＴ１２までの各動作が続けられる。ステップＳＴ１２で再生トラックが最終トラックであると判定されるときは、このダビングモードから抜けることになる。
【００４４】
ステップＳＴ１０でエンターキーが押されなかったと判定される場合には、ステップＳＴ１４に進んでスキップキーが押されたか否かが判定され、スキップキーが押されたと判定されるときはステップＳＴ１１に進む。一方、スキップキーが押されなかったと判定されるときは、ステップ１５に進んで、ユーザによってカーソルキーが操作されたか否かが判定される。カーソルキーが操作されたと判定されるときはステップＳＴ１６に進み、操作されていないと判定されるときはステップＳＴ９からの処理を再び繰り返す。
【００４５】
ステップＳＴ１６では、ステップＳＴ９で再生する第ＮトラックのアドレスデータＡｄｄＮがメモリコントローラ２３を介して読み出され、カーソルキーの移動に合わせてそのアドレスデータＡｄｄＮが修正される。そして、ステップＳＴ９からの処理が再び繰り返される。
【００４６】
以上説明したように本実施の形態においては、ＳＲＡＭ１０がＭＤ再生部６０とＭＤ録再部７０とで共用された構成となる。ダビングモードでは、ＭＤ再生部６０にセットされたマスター側のディスクＭＤ１の音声データがＭＤ録再部７０にセットされたスレーブ側ディスクＭＤ２０にアナログダビングされた後、アナログ変換されずにＳＲＡＭ９にデジタルデータのまま格納されたＭＤ１のＴＯＣデータがＭＤ録再部７０のメモリコントローラ２３で読み出されて、ＭＤ１のＴＯＣデータの各スタートアドレスからＭＤ２０の各トラックが順次イントロ再生される。再生中にトラック分割用のエンターキーが押されると、ＭＤ２０にそのアドレスデータが記録され、ＭＤ１と同じトラックナンバーが付与される。
【００４７】
また、再生中にユーザがカーソルキーを各トラックの先頭位置に移動することによりアドレスデータＡｄｄＮの微調整が行われる。よって、その位置から音声データを再びイントロ再生してユーザがエンターキーを操作することにより、修正されたアドレスにトラックナンバーを付与することができる。したがって、マスター側のディスクＭＤ１のＴＯＣデータのアドレスデータによって、スレーブ側のディスクＭＤ２０が各トラックの先頭から正確に再生できなかったとしても、正確なアドレスデータがスレーブ側のディスクＭＤ２０のＵＴＯＣエリアに記録される。
【００４８】
なお、本実施の形態において、ＴＯＣデータのメモリ手段としてＳＲＡＭ９を用いたが、フラッシュメモリやＤＲＡＭなどの他のメモリを用いてもよい。また、アドレスデータのダビング終了後に、ＳＲＡＭ９から文字データを読み出してＭＤ２０のＵＴＯＣエリアにダビングするようにしてもよい。
【００４９】
また、本実施の形態においては、ダビングモード中にカーソルキーを用いて各トラックの先頭アドレスを微調整する例を示したが、このような調整はダビングモード終了後に行うようにして、ダビングモード時にはおおよそのトラック開始位置（アドレスデータＡｄｄＮ）を仮に記録するようにしてもよい。これによって、ダビングモード時の作業が更に簡単になる。
【００５０】
また、マスター側ディスクとして、文字や記号などが記録されているものを用いたり、スレーブディスクとして記録が可能なものを用いれば、他の光磁気ディスク（ＭＯ）、フロッピーディスク（ＦＤ）、ディジタルビデオディスク（ＤＶＤ）などにも本発明は適用できる。
【００５１】
【発明の効果】
この発明によれば、第１のディスクから第２のディスクにアナログダビングされた音声データは、デジタルデータのままメモリ手段に格納された第１のディスクのＴＯＣデータに含まれる各トラックのスタートアドレスから順次イントロ再生され、再生中にエンターキーを操作することで、第２のディスクの各スタートアドレスにトラックナンバーが順次付与される。また、メモリ手段は第２のディスクのＴＯＣデータの格納手段として用いられる。
【００５２】
よって、マスター側ディスクの音声データをスレーブ側ディスクにアナログダビングする場合に、マスター側ディスクの音声データの内容に関係なく、マスター側と同じトラックナンバーを常に短時間で簡単にスレーブ側ディスクに付与できる。したがって、ユーザはスレーブ側ディスクでも、マスター側と同じトラックナンバーを利用した様々な機能を享受することができるという顕著な効果を奏する。
【００５３】
また、マスター側とスレーブ側のディスクのＴＯＣデータがひとつのメモリ手段に格納されるので、部品点数の増加を抑えることができ、その分ローコスト化を実現できる。
【図面の簡単な説明】
【図１】本発明の実施の形態としてのオーディオ装置１００の構成を示す図である。
【図２】ダビングモード時の制御ルーチンを示すフローチャートである。
【図３】ダビングモード時の制御ルーチンを示すフローチャートである。
【図４】ミニディスクのエリア区分を示す図である。
【符号の説明】
１  ミニディスク
２，３３  光ピックアップ
３，３４  ＲＦアンプ部
４  ＥＦＭとＣＩＲＣのデコーダ
５，２３  メモリコントローラ
６，２４  ＤＲＡＭ
７  音声伸張のデコーダ
８  Ｄ／Ａコンバータ
９  ＳＲＡＭ
１０  システムコントローラ
２０  録再用ミニディスク
２１  Ａ／Ｄコンバータ
２２  音声圧縮伸張のエンコーダ／デコーダ
２６  ＥＦＭとＣＩＲＣのエンコーダ／デコーダ
２８  ヘッド駆動回路
２９  磁気ヘッド
３３  光ピックアップ
３５  操作キー部
３６  表示器
６０  ＭＤ再生部
７０  ＭＤ録再部
１００  オーディオ装置
【図１】
0003610666.tif 000002
【図２】
0003610666.tif 000003
【図３】
0003610666.tif 000004
【図４】
0003610666.tif 000005